(57)【特許請求の範囲】
【請求項１】
浴槽框の外側壁と浴室壁面との間に浴槽目地材が介装される浴室構造に用いられる浴槽用コーナーピースであって、
前記浴槽框の上面外縁部と前記浴室壁面の各コーナー部間の領域を覆うコーナー被覆部と、
該コーナー被覆部から下方へ垂下し、前記外側壁及び浴室壁面の各コーナー部間に配置される脚部と、
前記コーナー被覆部から前記外側壁の外面に沿って下方へ垂下し、前記浴槽目地材の被覆部を係合させる係合溝が形成されている係合壁部とを備えていることを特徴とする浴槽用コーナーピース。
【請求項２】
請求項１に記載の浴槽目地用コーナーピースにおいて、
前記脚部は、前記外側壁の外面に当接するように形成されていることを特徴とする浴槽用コーナーピース。
【請求項３】
請求項１又は２に記載の浴槽用コーナーピースにおいて、
前記コーナー被覆部は、介装された浴槽目地材の各端部を覆い、かつ先端部が前記浴槽框の上面へ向けて下方へ湾曲するように形成されると共に、前記浴槽框に向かうに従い漸次厚み寸法が小となるように形成されていることを特徴とする浴槽用コーナーピース。
【発明の詳細な説明】
【技術分野】
【０００１】
本発明は、浴室内に設置された浴槽と浴室壁面との間に浴槽目地材を介装する浴槽目地構造を対象として、浴槽、浴室のコーナー部間に設置する浴槽用コーナーピースに関するものである。
【背景技術】
【０００２】
従来から、浴槽の側壁部の上端部と浴室の壁面との間に湯水が侵入することを防止するために、この間に浴槽目地材を介装することが知られている。この種の浴槽目地材としては、浴槽の側壁部の上端部に形成された浴槽框の外側壁と浴室の壁面との間の隙間を覆う被覆部と、この被覆部から下方へ延びる垂下部とからなる断面Ｔ字状に形成されたものが一般的である。この浴槽目地材は、垂下部の最下端に係合壁部を設けておき、この係合壁部を浴槽框における外側壁の下端縁に係合させることにより定位置に固定されるものである。
一方、浴槽は、通常側壁部のコーナー部の少なくとも一つを浴室壁面のコーナー部に寄せて設置されるため、上記の浴槽目地材が上記各コーナー部へ向けて二方向から設置されることになる。したがって、各浴槽目地材の端部が位置する上記コーナー部には、一方の浴槽目地材の端部と他方の浴槽目地材の端部との間に隙間が生じることになるため、この隙間を覆うべくコーナーピースが設置される。
従来、上記の浴槽と浴室壁面との間の浴槽目地構造、及びこれに用いるコーナーピースとしては、下記特許文献１に示すものが知られている。
特許文献１に示す浴槽目地構造は、図４に示すように、浴槽１００の浴槽框１０１の一辺１０１ａ及び他の一辺１０１ｂと浴室壁面１０２の一方の壁面１０２ａ及び他方の壁面１０２ｂとの間にそれぞれ浴槽目地材１０３、１０３を介装し、浴槽框１０１、浴室壁面１０２の各コーナー部間にコーナーピース１０４を介装するものである。
浴槽目地材１０３は、浴槽框１０１、浴室壁面１０２間の隙間を覆う被覆部１０５と、この被覆部１０５から下方へ垂下する垂下壁１０６とからなるものであり、垂下壁１０６の下端部に形成された係合壁部（図示せず）を浴槽框１０１の外側壁１０７の下端縁に係合させて固定される。
また、コーナーピース１０４は、浴槽框１０１、浴室壁面１０２の各コーナー部間を覆うコーナー被覆部１０８と、このコーナー被覆部１０８から下方へ垂下する脚部１０９とからなるものである。
このコーナーピース１０４の固定は、従来からの一般的な固定手段を採用した場合、上記浴槽目地材１０３と同様に、脚部１０９の下端部に係合壁部を設けておき、この係合壁部を浴槽框１０１の外側壁１０７の下端縁に係合させることにより行う。
【先行技術文献】
【特許文献】
【０００３】
【特許文献１】特開２００７−１２５１５９号公報
【発明の概要】
【発明が解決しようとする課題】
【０００４】
ところで、上記の浴槽目地構造を対象としたコーナーピース１０４は、その固定手段として脚部１０９の下端部に形成した係合壁部を浴槽框１０１の外側壁１０７の下端縁に係合させる構造を採用する限り、浴槽框１０１の製作上の寸法誤差等により、係合壁部が外側壁１０７の下端縁に係合できない場合が生じ、また係合してもコーナーピース１０４に外力が加わった場合、係合が外れることもあり、その固定を確実に行い得ないという問題があった。
【０００５】
また、コーナーピース１０４を固定する際に、脚部１０９の下端部に形成された係合壁部を変位させて係合を行うことになり、この際脚部１０９の下端部に位置する係合壁部が浴槽框１０１の外側壁１０７と浴室壁面１０２との間の狭い隙間の下方に位置するため、係合壁部の係合についての目視が困難であることは勿論、作業者の触覚による係合についても確認が困難であり、固定の確認が困難であるという問題があった。
【０００６】
また、コーナーピース１０４を設置した後、これを下方へ向けて押圧する外力が加わった場合に、コーナー被覆部１０８の浴室壁面１０２側が下方へ沈み込み、コーナーピース１０４全体を定められた姿勢に保持し難いという問題があった。
【０００７】
本発明は上記事情に鑑みてなされたもので、定位置への固定を確実になし得、固定の確認が容易で設置後に正規の姿勢を保持し得る浴槽用コーナーピースを提供することを目的とする。
【課題を解決するための手段】
【０００８】
上記目的を達成するために、この発明は以下の手段を提供している。
第１の発明は、浴槽框の外側壁と浴室壁面との間に浴槽目地材が介装される浴室構造に用いられる浴槽用コーナーピースであって、前記浴槽框の上面外縁部と前記浴室壁面の各コーナー部間の領域を覆うコーナー被覆部と、該コーナー被覆部から下方へ垂下し、前記外側壁及び浴室壁面の各コーナー部間に配置される脚部と、前記コーナー被覆部から前記外側壁の外面に沿って下方へ垂下し、前記浴槽目地材の被覆部を係合させる係合溝が形成されている係合壁部とを備えていることを特徴とする。
第２の発明は、前記脚部は、前記外側壁の外面に当接するように形成されていることを特徴とする。      
第３の発明は、前記コーナー被覆部は、介装された浴槽目地材の各端部を覆い、かつ先端部が前記浴槽框の上面へ向けて下方へ湾曲するように形成されると共に、前記浴槽框に向かうに従い漸次厚み寸法が小となるように形成されていることを特徴とする。
【発明の効果】
【０００９】
本発明の浴槽用コーナーピースによれば、係合壁部に形成された係合溝に浴槽目地材の被覆部を係合させるので、容易、確実、かつ堅固にコーナーピースを固定することができるという効果を奏する。
【００１０】
また、コーナー被覆部から外側壁の外面に沿って垂下する係合壁部の係合溝に浴槽目地の被覆部が係合し、かつ脚部が浴槽框の外側壁の外面に当接するように形成されているため、コーナー被覆部の下方への沈み込みを抑えることができるという効果を奏する。
よって、コーナーピースに上方からの外力が加えられた場合にも、このコーナーピースの姿勢を常に定められた姿勢に保持することができるという効果を奏する。
【００１１】
また、コーナー被覆部の先端部が、浴槽框の上面へ向けて下方へ湾曲するように形成されると共に、浴槽框上面に向かうに従い漸次厚み寸法が小となるように形成されているので、該コーナー被覆部を浴槽目地材及び浴槽框に密に当接させることができるという効果を奏する。
【図面の簡単な説明】
【００１２】
【図１】は、本発明の一実施形態を示す図であって、本発明による浴槽用コーナーピースを浴槽と浴室壁面との間に設置した状態を示す平面図である。
【図２】は、本発明の一実施形態を示す図であって、本発明による浴槽用コーナーピースの使用状態を示した斜視図である。
【図３】は、本発明の一実施形態を示す図であって、図１のＸ−Ｘ線視拡大断面図である。
【図４】は、従来の浴槽用コーナーピースの使用状態を示す分解斜視図である。
【発明を実施するための形態】
【００１３】
以下、本発明の一実施形態について、図を参照して説明する。
図１は、本発明による浴槽用コーナーピース（以下コーナーピースという）を浴槽と浴室壁面との間に設置した状態を示す図である。
図において、符号１は浴室壁面、２は浴槽、３は浴槽目地材、４はコーナーピースである。
図において、浴室壁面１は、壁面１ａ、１ｂが直交して交叉するコーナー部５の周辺を示しており、浴槽２は、浴槽框６ａ、６ｂが直交して交叉するコーナー部７の周辺を示している。
【００１４】
浴槽２の浴槽框６ａ（６ｂ）は、図２、図３に示すように、浴槽２の側壁部（図示せず）の上端部から水平方向外方へ延在する水平壁部８と、この水平壁部８の外端から下方へ垂下する外側壁９とを備えている。
【００１５】
図１に示すように、外側壁９と浴室壁面１ａ（１ｂ）との間には、隙間Ｓが形成されており、この隙間Ｓには、コーナー部５から外側壁９及び浴室壁面１ａ（１ｂ）に沿って二方向に向けて浴槽目地材３が介装されている。
【００１６】
浴槽目地材３は、帯状に形成され、図２、図３に示すように、浴槽框６ａ（６ｂ）の水平壁部８の上面外縁部９ａと浴室壁面１ａ（１ｂ）との間の隙間Ｓを含む領域を覆う被覆部３ａと、この被覆部３ａの幅方向中央部下面から下方に垂下する垂下部３ｂと、該垂下部３ｂの下端部に形成される係合壁部（図示せず）とから形成されている。
【００１７】
被覆部３ａは、幅方向の水平壁部８に接する側の端部３ｔが先端に向かうに従い漸次厚み寸法が小となるように形成され、更に浴室壁面１ａ（１ｂ）に接する側の端部３ｕも先端に向かうに従い漸次厚み寸法が小となるように形成されている。この浴槽目地材３は、軟質系樹脂により形成されることによって、その両端部３ｔ、３ｕが水平壁部８及び壁面１ａ（１ｂ）に接した状態で弾性変形し、これら両端部３ｔ、３ｕが水平壁部８及び壁面１ａ（１ｂ）に密着するように構成されている。
【００１８】
コーナーピース４は、図２に示すように、浴槽框６ａ（６ｂ）の水平壁部８の上面外縁部９ａと浴室壁面１ａ（１ｂ）との各コーナー５、７部間の隙間Ｓを含む領域を覆うコーナー被覆部１０と、該コーナー被覆部１０から下方へ垂下し、外側壁９及び浴室壁面１ａ、１ｂの各コーナー部５、７間の隙間Ｓに配置される脚部１１と、コーナー被覆部１０から浴槽框６ａ、６ｂの外側壁９、９の外面に沿って下方へ垂下する一対の係合壁部１２、１２とを備えて構成されたものである。
【００１９】
コーナー被覆部１０は、図１、図２に示すように、コーナー部５に寄せて配置され、湾曲形状に形成されたコーナー端１０ａから浴室壁面１ａ、１ｂに沿って延びる辺１０ｂ、１０ｃと、これらの辺１０ｂ、１０ｃの端部から浴槽目地材３、３を横切って延びる辺１０ｄ、１０ｅと、これらの辺１０ｄ、１０ｅを結ぶ辺１０ｆに囲まれた壁部である。
辺１０ｂ、１０ｃは、浴室壁面１ａ、１ｂに当接させて配置され、辺１０ｄ、１０ｅ寄りの壁部は、浴槽目地材３、３の端部３ａ−１、３ａ−１を覆うように配置され、辺１０ｆ近傍の壁部、即ち、コーナー端１０ａを始点として視た先端部１０ｔは、一方の浴槽目地材３と他方の浴槽目地材３との間に位置して浴槽框６の水平壁部８の上面側に延出するように配置されている。
先端部１０ｔは、浴槽框６ａ（６ｂ）の上面へ向けて下方へ湾曲するように形成されると共に、浴槽框６に向かうに従い漸次厚み寸法が小とされている。
【００２０】
図２、図３に示すように、係合壁部１２は、コーナー被覆部１０と脚部１１との双方に連設された壁部であり、コーナー被覆部１０から下方に垂下し、脚部１１の長さの略３分の１程度下方位置まで延出している。
係合壁部１２には、浴槽目地材３の被覆部３ａの端部３ｕを係合させる係合溝１３が形成されている。この係合溝１３は係合壁部１２の内面側、すなわち係合壁部１２が外側壁９側に向く面に形成されたものであり、上方へ向く係合面１４を備えている。
【００２１】
脚部１１は、コーナー被覆部１０のコーナー端１０ａ近傍の壁部下面から下方へ垂下し、その外面を浴室壁面１ａ、１ｂに当接させる外壁部１５と、この外壁部１５の両端部から内方へ突出し、外側壁９の外面に当接するように形成された姿勢保持壁部１６とからなっている。この場合、脚部１１がコーナー端１０ａ近傍の壁部下面から下方へ垂下する長さ寸法は、後述するように、コーナー端１０ａ近傍の壁部を下方へ押圧したときに、姿勢保持壁部１６が外側壁９の外面に当接して、当該コーナー端１０ａ寄りの壁部の沈み込みを防止し得る寸法とされており、少なくとも、姿勢保持壁部１６の下端部が、浴槽框６の水平壁部８と外側壁９との湾曲部Ｗよりも下方、即ち外側壁９の鉛直方向に延びる外面に当接する長さとされている。
この場合、姿勢保持壁部１６、１６は、図２に示すように脚部１１が浴槽框６ａ（６ｂ）における外側壁９の外面と浴室壁面１ａ（１ｂ）との間の隙間Ｓに介装された状態において、これらの間方向の厚み寸法Ｌが外側壁９の外面と浴室壁面１ａ（１ｂ）に密に嵌合する寸法とされている。
【００２２】
コーナーピース４の材質としては、ポリプロピレン等の合成樹脂を好適に用いることができる。
【００２３】
次に、浴室Ａに浴槽２が設置された後に浴槽目地材３及びコーナーピース４を設置する方法について説明する。
まず、帯状の浴槽目地材３の垂下部３ｂを浴槽框６ａ、６ｂと浴室壁面１ａ、１ｂとの隙間Ｓに長手方向に沿うように挿入し、被覆部３ａが浴槽框６ａ、６ｂにおける水平壁部８の上面外縁部９ａと浴室壁面１ａ、１ｂとの間の領域を覆うように位置させ、垂下部３ｂの下端部に形成された係合壁部（図示せず）を浴槽框２の外側壁９の下端に係合させて固定する。
【００２４】
この際、壁面１ａ、１ｂが直交して形成されるコーナー部５と浴槽框６ａ、６ｂが直交して形成されるコーナー部７との間において、浴槽目地材３、３が覆うことの出来ない隙間Ｓを含む領域が残る。
そこで、この隙間Ｓにコーナーピース４を脚部１１から挿入し、コーナー被覆部１０によって、浴槽目地材３、３の各端部３ａ−１、３ａ−１及び浴槽框２のコーナー部７周辺における水平壁部８の上面外縁部９ａから浴室壁面１ａ、１ｂのコーナー部５に至る範囲を覆う。
【００２５】
そして、コーナー被覆部１０を下方に押し付けると、係合壁部１２の下端が浴槽目地材３の端部３ｕに当接してこれを弾性変形、湾曲させつつ下方に移動し、端部３ｕの下方へ通過していく。係合壁部１２の係合溝１３が浴槽目地材３の端部３ｕを完全に通過すると、浴槽目地材３の被覆部３ａの端部３ｕが弾性復帰し、該端部３ｕの先端が係合溝１３の係合面１４に係合する。このようにして、コーナーピース４は、浴槽２の外側壁９に固定された浴槽目地材３に係合して固定される。
ここで、被覆部３ａの端部３ｕが弾性復帰して係合溝１３に係合する際には、コーナー被覆部１０を押圧する負荷が低下すると共に、端部３ｕが係合溝１３の内壁面に衝突して、明瞭な係合音が発生することになる。よって、作業者は、コーナーピース４が浴槽目地材３に固定されたことを触覚及び聴覚により容易に確認することが出来る。
【００２６】
このようにしてコーナーピース４が固定されると、コーナー被覆部１０の先端部１０ｔは下方へ向けて湾曲するように形成され、かつ浴槽框６の上面に向かうに従い漸次厚み寸法が小とされているので、浴槽目地材３の被覆部３ａになじんだ形で密着し、更に先端部１０ｔの先端縁が水平壁部８の上面に密着する。
また、姿勢保持壁部１６は、その厚み寸法Ｌを隙間Ｓに合わせた寸法としているため、隙間Ｓにおいて、浴室壁面１ａ、１ｂ及び浴槽框２の外側壁９との間に密に嵌合する。
【００２７】
上記のように、本発明の上記実施形態のコーナーピース４によると、該コーナーピース４の係合壁部１２に形成された係合溝１３に浴槽目地材３の被覆部３ａの端部３ｕを係合させるので、浴槽２と浴室壁部１ａ（１ｂ）との間への設置が容易で、確実に固定することができる。この場合、コーナー被覆部１０の直下に形成された係合壁部１２の係合溝１３に浴槽目地材３の被覆部３ａを係合させるので、設置が容易であるだけでなく、当該係合が外れ難く、コーナーピース４の固定を堅固に行うことが出来る。
【００２８】
また、係合壁部１２の係合溝１３に浴槽目地材３の被覆部３ａが係合した際にコーナー被覆部１０を押圧する負荷が低下すると共に、係合音が生じるため、コーナーピース４の固定を触覚及び係合音により確認することが出来る。
【００２９】
また更に、コーナーピース４のコーナー被覆部１０を下方へ押圧しても、コーナー被覆部１０の直下に位置する係合壁部１２の係合溝１３に浴槽目地３の被覆部３ａが係合しているため、このコーナー被覆部１０の変位を阻止することが出来る。また、この押圧によりコーナー被覆部１０が下方へ移動しようとしても、脚部１１の姿勢保持壁部１６が浴槽框６ａ（６ｂ）の外側壁９の外面に当接するため、コーナー被覆部１０の下方への沈み込み、特にコーナー端１０ａ側の沈み込みを抑えることが出来る。よって、コーナーピース４に上方からの外力が加えられた場合にも、このコーナーピース４の姿勢を常に定められた姿勢に保持することが出来る。
【００３０】
また、コーナー被覆部１０が浴槽目地材３の各端部３ａ−１、３ａ−１を覆い、先端部１０ｔが浴槽框６の上面に向かうに従い漸次厚み寸法が小となるように形成されているので、該コーナー被覆部１０が浴槽目地材３、浴槽框２の水平壁部８に密に当接し、隙間Ｓ側への湯水の流出を抑えることができる。
【符号の説明】
【００３１】
１  浴室壁面
２  浴槽
３  浴槽目地材
３ａ  被覆部
３ｂ  垂下部
４  コーナーピース
５  コーナー部
６  浴槽框
７  コーナー部
９  外側壁
９ａ  上面外縁部
１０  コーナー被覆部
１１  脚部
１２  係合壁部
１３  係合溝
１６  姿勢保持壁部
【図１】
0005448150.tif 000002
【図２】
0005448150.tif 000003
【図３】
0005448150.tif 000004
【図４】
0005448150.tif 000005